(57)【要約】【課題】薄肉にもかかわらず、Ｌ形部の直角をしっかりと出すことができ、現場での施工を容易に行うことができる、横断面にＬ形部を備えた隅部用長尺気密シートを提供する。【解決手段】Ｌ形部に、その屈曲部１ａを挟む一方の側１ｂから屈曲部１ａを通じてもう一方の側１ｃに連続して延びる線状の補強リブ４が、シート長手方向に複数、間隔的に備えられている。補強リブ４は、シート１の一方の面を凹、もう一方の面の凹対応部分を凸に成形して形成されたものからなるとよい。【選択図】      図１
2005105661.tif 000002
【特許請求の範囲】
【請求項１】
横断面にＬ形部を備えた隅部用長尺気密シートであって、
前記Ｌ形部に、その屈曲部を挟む一方の側から屈曲部を通じてもう一方の側に連続して延びる線状の補強リブが、シート長手方向に複数、間隔的に備えられていることを特徴とする隅部用長尺気密シート。
【請求項２】
横断面に複数のＬ形部が備えられ、各Ｌ形部に前記補強リブが備えられているされている請求項１に記載の隅部用長尺気密シート。
【請求項３】
前記補強リブが、シートの一方の面を凹、もう一方の面の凹対応部分を凸に成形して形成されたものからなる請求項１又は２に記載の隅部用長尺気密シート。
【発明の詳細な説明】
【技術分野】
【０００１】
本発明は、隅部用長尺気密シートに関する。
【背景技術】
【０００２】
住宅等の建物の気密性を高いものにするため、壁と床の取り合い部や、壁と天井の取り合い部等に、気密材が設置されるが、気密材の設置は、従来、気密テープを用いこれを取り合い部にＬ形にして貼り付けたり、あるいは、取り合い部にシーリングを施したり、あるいは、気密シートを取り合い部においてＬ形に貼り伸ばししたりすることで行われることもあるが、これらの方法は、品質が現場での施工精度に依存してしまうことや、施工に技量を要することなどから、現在では、予めＬ形に成形した樹脂製の長尺気密シートを用い、これを取り合い部に設置するという方法で行うのが主流となっている。
【発明の開示】
【発明が解決しようとする課題】
【０００３】
しかしながら、気密シートはそもそも非常に薄くつくられるものであるため、予めＬ形に成形した長尺気密シートは、腰が弱くてＬ形の直角がでにくい等の理由から、いささか施工しずらい面がある。
【０００４】
本発明は、上記のような問題点に鑑み、薄肉にもかかわらず、Ｌ形部の直角をしっかりと出すことができ、現場での施工を容易に行うことができる、横断面にＬ形部を備えた隅部用長尺気密シートを提供することを課題とする。
【課題を解決するための手段】
【０００５】
上記の課題は、横断面にＬ形部を備えた隅部用長尺気密シートであって、
前記Ｌ形部に、その屈曲部を挟む一方の側から屈曲部を通じてもう一方の側に連続して延びる線状の補強リブが、シート長手方向に複数、間隔的に備えられていることを特徴とする隅部用長尺気密シートによって解決される。
【０００６】
この気密シートでは、Ｌ形部において、その屈曲部を挟む一方の側から屈曲部を通じてもう一方の側に連続して延びる補強リブが備えられているので、シートが薄肉であっても、該リブの補強作用によってＬ形部の直角がしっかりと出る。そして、該補強リブは、線状をしていて、シート長手方向に複数、間隔的に備えられているので、気密シートが長尺であっても、長さ方向の各部においてＬ形部の直角がしっかりと出て、現場での施工を容易に行うことができ、しかも、気密シートとしての薄さが補強リブによって妨げられることもない。
【０００７】
上記の気密シートにおいて、横断面に複数のＬ形部が備えられ、各Ｌ形部に前記補強リブが備えられているのもよい。この場合は、各Ｌ形部の直角がそれぞれにしっかりと出て、現場での施工を容易に行うことができる。
【０００８】
前記補強リブが、シートの一方の面を凹、もう一方の面の凹対応部分を凸に成形して形成されたものからなる場合は、シートが薄肉で、補強リブも薄肉であることにより、施工後は、このリブが潰れることで、補強リブが周囲との取り合い関係で妨げとなることもない。
【発明の効果】
【０００９】
本発明は、以上のとおりのものであるから、薄肉にもかかわらず、Ｌ形部の直角をしっかりと出すことができ、現場での施工を容易に行うことができる。
【発明を実施するための最良の形態】
【００１０】
次に、本発明の実施最良形態を図面に基づいて説明する。
【００１１】
図１及び図２に示す第１実施形態の隅部用長尺気密シート１は、図５（イ）に示すように、建物内の床２と壁３との取り合い部分に設置されるもので、横断面にＬ形部を一つ備えたＬ形の気密シートからなっている。該気密シート１は、厚さが例えば０．１ｍｍを下回らない程度の極薄のポリエチレンシートなどからなっていて、図１（イ）に示すように、屈曲部１ａを挟む一方の側１ｂから屈曲部１ａを通じてもう一方の側１ｃに連続して延びる線状の補強リブ４が、シート長手方向に複数、間隔的に備えられている。そして、各補強リブ４は、図１（ハ）に示すように、シート１の一方の面を凹、図１（ロ）に示すように、もう一方の面の凹対応部分を凸とするように、真空成形などにより成形されて形成されたものからなっている。
【００１２】
この気密シート１では、シートが薄肉であっても、補強リブ４の補強作用によってＬ形部の直角がしっかりと出る。しかも、該補強リブ４は、線状をしていて、シート１の長手方向に複数、間隔的に備えられているので、気密シート１が長尺であるにもかかわらず、長さ方向の各部においてＬ形部の直角がしっかりと出、また、気密シートとしての薄さが補強リブ４…によって妨げられることもない。
【００１３】
上記の気密シート１は、図２（イ）（ロ）及び図５（イ）に示すように、壁３と床２の取り合い部に設置されるが、その施工において、該気密シート１は、上記のように、それ自体でＬ形部の直角がしっかりと出ているので、設置するだけで、屈曲部を挟む各辺１ｂ，１ｃが壁３と床２に沿い、施工を容易に行うことができる。
【００１４】
なお、床２側において、５は根太、６は床板、７は床側の気密板であり、また、壁３側において、８は外装仕上げ面材、９はパネルフレーム、１０は断熱材、１１は壁側気密シート、１２は乾燥木材等による気密性を備えた壁下地材であり、本実施形態の気密シート１は、壁側の気密層と床側の気密層とを連続させるように設置される。なお、各補強リブ４…は、図１に示すように、その先端部を気密シート１の各先端部位置よりも控えさせるようにし、それよりも先端側で壁３側や床２側の気密材と合わされて高い気密連続性が確保されるようになされるようにするのもよい。
【００１５】
そして、気密シート１の設置後、図５（イ）に示すように、床２側に床仕上げ材１３を設置すると共に、壁３側に石膏ボード等の内装面材１４を設置するが、上記の気密シート１は非常に薄肉であり、補強リブ４…も線状をしていて、気密シート１の長手方向に間隔的に備えられているので、補強リブ４が床仕上げ材１３や壁側の内装面材１４の設置の妨げとなることもない。特に、本実施形態では、気密シート１それ自体が極薄であるなかで、補強リブ４は、そのシート１の一方の面を凹、もう一方の面の凹対応部分を凸とするように成形されて形成されたものであるから、容易に潰れることができ、周囲部材との取り合いで問題を生じることはますますない。
【００１６】
図３及び図４に示す第２実施形態の隅部用長尺気密シート１は、図５（ロ）に示すように、建物内の壁３と天井１９との取り合い部分に設置されるもので、横断面に三つのＬ形部１ｄ，１ｄ，１ｄを備えた気密シートからなっている。そして、図４に示すように、各Ｌ形部１ｄ，１ｄ，１ｄに上記と同様の補強リブが備えられ、各補強リブは連続するように備えられて一つの補強リブ４が形成されている。なお、連続させることなく、各Ｌ形部１ｄ，１ｄ，１ｄごとに独立した補強リブを備えさせるようにしてもよい。その他は第１実施形態の気密シート１と同様である。
【００１７】
上記の気密シート１は、図４（イ）（ロ）及び図５（ロ）に示すように、壁３と天井１９の取り合い部に設置されるが、その施工において、該気密シート１は、上記のように、それ自体で各Ｌ形部１ｄ，１ｄ，１ｄの直角がしっかりと出ているので、設置するだけで壁３と天井１９に適正に沿い、施工を容易に行うことができる。
【００１８】
なお、天井１９側において、１５は乾燥木材等の気密性を備えた天井下地材、１６は断熱材、１７は天井側気密シートであり、また、壁３側において、１８は乾燥木材等の気密性を備えた壁下地材であり、本実施形態の気密シート１は、壁３側の気密層と天井１９側の気密層とを連続させるように設置される。
【００１９】
そして、気密シート１の設置後、図５（ロ）に示すように、天井１９側と壁３側とにそれぞれ石膏ボード等の内装面材１４，１４を設置するが、上記と同様の理由から、気密シート１が、内装面材１４，１４の設置の妨げとなることはない。
【００２０】
以上に、本発明の実施形態を示したが、本発明はこれに限られるものではなく、発明思想を逸脱しない範囲で各種の変更が可能である。例えば、本発明の気密シートは、壁と床の取り合い部や、壁と天井の取り合い部だけを対象とするものではなく、気密シートの設置が必要とされる各所に隅部に広く用いることができるものである。また、材質も樹脂のほか、金属であってもよい。
【図面の簡単な説明】
【００２１】
【図１】第１実施形態の気密シートを示すもので、図（イ）は斜視図、図（ロ）は補強リブの部分を斜め上からみた斜視図、図（ハ）は補強リブの部分を斜め上からみた斜視図である。
【図２】図（イ）及び図（ロ）はそれぞれ、施工方法を順次に示す断面斜視図である。
【図３】第２実施形態の気密シートを示す斜視図である。
【図４】図（イ）及び図（ロ）はそれぞれ、施工方法を順次に示す断面斜視図である。
【図５】図（イ）は第１実施形態の気密シートの設置状態を示す断面図、図（ロ）は第２実施形態の気密シートの設置状態を示す断面図である。
【符号の説明】
【００２２】
１…隅部用長尺気密シート
１ａ…屈曲部
１ｂ…一方の側
１ｃ…もう一方の側
４ …補強リブ
【図１】
2005105661.tif 000003
【図２】
2005105661.tif 000004
【図３】
2005105661.tif 000005
【図４】
2005105661.tif 000006
【図５】
2005105661.tif 000007